(57)【特許請求の範囲】
【請求項１】
物体光及び参照光入射側から、順に、少なくとも粘着性を有するフォトポリマーからなるホログラム記録感材／基板／粘着層／光吸収フィルムからなり、前記粘着層は後処理により粘着力が低下するものを用いて、ホログラム記録後に前記粘着層と前記光吸収フィルムは剥離可能に形成されていることを特徴とする透過型ホログラム撮影用乾板。
【請求項２】
請求項１記載の光吸収フィルムが、記録波長での光学濃度が２以上に着色処理されたフィルムからなることを特徴とする透過型ホログラム撮影用乾板。
【請求項３】
請求項１記載の基板、光吸収フィルム及び粘着層の少なくとも１つの屈折率が、ホログラム記録感材の屈折率に略等しいことを特徴とする透過型ホログラム撮影用乾板。
【請求項４】
請求項１記載の粘着層が、ホログラム露光後に剥離可能に形成されていることを特徴とする透過型ホログラム撮影用乾板。
【請求項５】
物体光及び参照光入射側から、順に、少なくとも粘着性を有するフォトポリマーからなるホログラム記録感材／基板／光吸収粘着層／支持フィルムからなり、前記光吸収粘着層は後処理により粘着力が低下するものを用いて、ホログラム記録後に前記光吸収粘着層は剥離可能に形成されていることを特徴とする透過型ホログラム撮影用乾板。
【請求項６】
請求項５記載の光吸収粘着層が、記録波長での光学濃度が２以上になるように着色処理されていることを特徴とする透過型ホログラム撮影用乾板。
【請求項７】
請求項５記載の基板又は光吸収粘着層の少なくとも一方の屈折率が、ホログラム記録感材の屈折率に略等しいことを特徴とする透過型ホログラム撮影用乾板。
【請求項８】
請求項５記載の光吸収粘着層が、ホログラム露光後に剥離可能に形成されていることを特徴とする透過型ホログラム撮影用乾板。
【請求項９】
請求項１から８の何れか１項記載の透過型ホログラム撮影用乾板の作製方法において、基板を供給し、供給された基板の一方の面に、支持フィルム／粘着性を有するフォトポリマーからなるホログラム記録感材／セパレータからなるホログラム記録感材フィルムのセパレータを剥離した後に、ホログラム記録感材側からホログラム記録感材フィルムをラミネートし、供給された基板の他方の面に、セパレータ／粘着層／光吸収フィルムからなる粘着処理光吸収フィルム、あるいは、セパレータ／光吸収粘着層／支持フィルムからなる光吸収粘着剤フィルムのセパレータを剥離した後に、粘着層又は光吸収粘着層側から粘着処理光吸収フィルムあるいは光吸収粘着剤フィルムをラミネートすることを特徴とする透過型ホログラム撮影用乾板の作製方法。
【請求項１０】
請求項１から８の何れか１項記載の透過型ホログラム撮影用乾板の作製装置において、基板を供給する基板供給部と、供給された基板の一方の面に、支持フィルム／粘着性を有するフォトポリマーからなるホログラム記録感材／セパレータからなるホログラム記録感材フィルムのセパレータを剥離した後に、ホログラム記録感材側からホログラム記録感材フィルムをラミネートする第１ラミネート機構と、供給された基板の他方の面に、セパレータ／粘着層／光吸収フィルムからなる粘着処理光吸収フィルム、あるいは、セパレータ／光吸収粘着層／支持フィルムからなる光吸収粘着剤フィルムのセパレータを剥離した後に、粘着層又は光吸収粘着層側から粘着処理光吸収フィルムあるいは光吸収粘着剤フィルムをラミネートする第２ラミネート機構とを有し、前記第１ラミネート機構及び第２ラミネート機構の前段又は後段に、セパレータが剥離されたホログラム記録感材フィルム、及び、粘着処理光吸収フィルム又は光吸収粘着剤フィルムを基板と同じかそれ以下の大きさにカットするシートカット機構を有することを特徴とする透過型ホログラム撮影用乾板の作製装置。
【発明の詳細な説明】
【０００１】
【発明の属する技術分野】
本発明は、透過型ホログラム撮影用乾板、その作製方法及び装置に関し、特に、撮影あるいは複製の際のハレーションを防止する層を設けた透過型ホログラム撮影用乾板、その作製方法及び装置に関する。
【０００２】
【従来の技術】
ホログラムには、再生照明光の入射方向と回折光の出射方向との関係で大きく分けて２つのタイプがある。再生照明光の入射方向と回折光の出射方向とがホログラムの一方の側になる場合、これは反射型と呼ばれ、例えばホログラムコンバイナー等に用いられる。一方、再生照明光をホログラムの一方の側から入射させると、回折光が反対側から出るホログラムは透過型と呼ばれ、フレネルゾーンプレート状の集光性ホログラムアレーからなるホログラムカラーフィルター（例えば特願平５−１２１７０号参照）等に用いられる。
【０００３】
この中、透過型ホログラムを撮影あるいは複製する際には、ホログラム撮影用乾板の表側から物体光と参照光を入射させるが、その乾板の裏側に達した物体光及び参照光は裏面で反射されてハレーションとなり、不要な干渉縞が記録され、ホログラムの再生特性を悪化させることになるので、通常、透過型ホログラム撮影用乾板の裏面には、透過したレーザー光を吸収する層（ハレーション防止層）を設け、裏面からの反射に起因する不所望な干渉縞の発生を低減する方法が従来から用いられている。ハレーション防止層は、色素を溶かした樹脂溶液を塗布乾燥して設けるのが一般的であり、例えばポリビニルブチラール（ＰＶＢ）のメチルエチルケトン溶液に適当量の色素を混和させたものがあげられる。
【０００４】
【発明が解決しようとする課題】
しかしながら、上述した従来の方法では、樹脂溶液を塗布乾燥しなければならず、工程が煩雑であり、生産性が劣っていると同時に、塗布溶液が反対側に回り込んで感材面側を汚染する等の問題点があった。また、高クリーン度を必要とする用途では、記録後にハレーション防止層を完全に取り除くために溶剤で拭き取る等の工程も必要であった。
【０００５】
本発明は従来技術のこのような問題点に鑑みてなされたものであり、その目的は、ハレーション防止層をドライフィルム形態にすることにより、従来の製造工程を大幅に簡略化でき、かつ、ラミネート装置へ適合させることもできる透過型ホログラム撮影用乾板、その作製方法及び装置を提供することである。
【０００６】
【課題を解決するための手段】
上記目的を達成する本発明の第１の透過型ホログラム撮影用乾板は、物体光及び参照光入射側から、順に、少なくとも粘着性を有するフォトポリマーからなるホログラム記録感材／基板／粘着層／光吸収フィルムからなり、前記粘着層は後処理により粘着力が低下するものを用いて、ホログラム記録後に前記粘着層と前記光吸収フィルムは剥離可能に形成されていることを特徴とするものである。
【０００８】
この場合、光吸収フィルムは、記録波長での光学濃度が２以上に染色処理されたフィルムからなることが望ましい。
【０００９】
また、基板、光吸収フィルム及び粘着層の少なくとも１つの屈折率は、ホログラム記録感材の屈折率に略等しいことが望ましい。
【００１１】
本発明の第２の透過型ホログラム撮影用乾板は、物体光及び参照光入射側から、順に、少なくとも粘着性を有するフォトポリマーからなるホログラム記録感材／基板／光吸収粘着層／支持フィルムからなり、前記光吸収粘着層は後処理により粘着力が低下するものを用いて、ホログラム記録後に前記光吸収粘着層は剥離可能に形成されていることを特徴とするものである。
【００１３】
この場合、光吸収粘着層は、記録波長での光学濃度が２以上になるように着色処理されていることが望ましい。
【００１４】
また、基板又は光吸収粘着層の少なくとも一方の屈折率は、ホログラム記録感材の屈折率に略等しいことが望ましい。
【００１６】
以上のような透過型ホログラム撮影用乾板の作製方法は、基板を供給し、供給された基板の一方の面に、支持フィルム／粘着性を有するフォトポリマーからなるホログラム記録感材／セパレータからなるホログラム記録感材フィルムのセパレータを剥離した後に、ホログラム記録感材側からホログラム記録感材フィルムをラミネートし、供給された基板の他方の面に、セパレータ／粘着層／光吸収フィルムからなる粘着処理光吸収フィルム、あるいは、セパレータ／光吸収粘着層／支持フィルムからなる光吸収粘着剤フィルムのセパレータを剥離した後に、粘着層又は光吸収粘着層側から粘着処理光吸収フィルムあるいは光吸収粘着剤フィルムをラミネートすることを特徴とする方法である。
【００１８】
また、以上のような透過型ホログラム撮影用乾板の作製装置は、基板を供給する基板供給部と、供給された基板の一方の面に、支持フィルム／粘着性を有するフォトポリマーからなるホログラム記録感材／セパレータからなるホログラム記録感材フィルムのセパレータを剥離した後に、ホログラム記録感材側からホログラム記録感材フィルムをラミネートする第１ラミネート機構と、供給された基板の他方の面に、セパレータ／粘着層／光吸収フィルムからなる粘着処理光吸収フィルム、あるいは、セパレータ／光吸収粘着層／支持フィルムからなる光吸収粘着剤フィルムのセパレータを剥離した後に、粘着層又は光吸収粘着層側から粘着処理光吸収フィルムあるいは光吸収粘着剤フィルムをラミネートする第２ラミネート機構とを有し、前記第１ラミネート機構及び第２ラミネート機構の前段又は後段に、セパレータが剥離されたホログラム記録感材フィルム、及び、粘着処理光吸収フィルム又は光吸収粘着剤フィルムを基板と同じかそれ以下の大きさにカットするシートカット機構を有することを特徴とするものである。
【００１９】
本発明においては、透過型ホログラム撮影用乾板の基板の物体光及び参照光入射側とは反対側の面上に粘着層を介して光吸収フィルムを設けるか、支持フィルム上に設けた光吸収粘着層をその粘着層で粘着させたので、撮影あるいは複製の際にハレーションを防止する層をドライフィルム形態で簡単に設けることができ、製造工程を大幅に簡略化でき、かつ、ラミネート装置へ適合させることもできる。また、乾板自身が汚れがなく、記録後にハレーション防止層を簡単な工程でに完全に取り除くことができる。
【００２０】
【発明の実施の形態】
以下、本発明の透過型ホログラム撮影用乾板、その作製方法及び装置を実施例に基づいて説明する。
本発明による透過型ホログラム撮影用乾板１０の層構成を図１と図２に示す。その作製方法については、後記する。図１においては、物体光及び参照光入射側から、支持フィルム１／ホログラム記録感材２／基板３／粘着層４／光吸収フィルム５からなり、図２においては、物体光及び参照光入射側から、支持フィルム１／ホログラム記録感材２／基板３／光吸収粘着層６／支持フィルム７からなっている。なお、実際の撮影あるいは複製状態においては、透過型ホログラム撮影用乾板１０のホログラム記録感材２表面に設けた支持フィルム１は剥離除去して用いてもよい。
【００２１】
また、図１又は図２のような層構成の透過型ホログラム撮影用乾板１０を作製するために本発明で使用するホログラム記録感材フィルム１１は、図３に層構成を示すように、支持フィルム１／ホログラム記録感材２／セパレータ（剥離フィルム）１２からなっており、また、透過型ホログラム撮影用乾板１０の裏面に光吸収性を付与するフィルムは、図４（ａ）に示すように、セパレータ（剥離フィルム）１４／粘着層４／光吸収フィルム５からなる粘着処理光吸収フィルム１３、あるいは、図４（ｂ）に示すように、セパレータ（剥離フィルム）１４／光吸収粘着層６／支持フィルム７からなる光吸収粘着剤フィルム１５からなっている。
【００２２】
図３に示すホログラム記録感材フィルム１１のホログラム記録感材２としては、使用する基材３に粘着性を有するフォトポリマー材料であることが好ましい。もちろん、銀塩、重クロムゼラチン等の他の感光材料であってもよい。支持フィルム１とホログラム記録感材２間の剥離強度と、ホログラム記録材料２とセパレータ１２間の剥離強度との間には、選択的に剥離するために、
〔支持フィルム１／ホログラム記録感材２〕
≧〔ホログラム記録材料２／セパレータ１２〕
の関係になくてはならないことは当然である。
【００２３】
支持フィルム１としては、ＰＥＴフィルム（特に、光学グレードのもの）、トリアセチルセルロースフィルム、ポリプロピレンフィルム、ポリエチレンフィルム、ポリ塩化ビニルフィルム、アクリルフィルム、ポリビニルアルコールフィルム、ポリエチレンビニルアルコールコポリマーフィルムが好ましく、各種フィルム共押し出しフィルム等がよい。
【００２４】
セパレータ１２としては、支持フィルム１と同様なフィルムが適用可能であるが、支持フィルム１と比較して剥離特性の異なるものが好ましい。
ホログラム記録感材２として用いられるフォトポリマー感材としては、例えば、オムニデックスの商品名で上市されているデュポン社のフォトポリマーがあげられる。
【００２５】
基板３としては、透明で剛性のある種々の材料が適用可能であり、各種ガラス基板、ポリカーボネート基板、アクリル基板等があげられる。必要に応じては、基板に適当なプライマー処理を施すと、接着性の改良に有用である。例えば、ガラス基板の場合について言えば、各種シランカップリング剤、アクリル系接着剤、ポリウレタン接着剤等を塗布乾燥後、使用することが可能である。基板３は、ドライフィルム形態にして使用することも可能である。
【００２６】
図４（ａ）に示す粘着処理光吸収フィルム１３は、ホログラム記録中は安定に粘着しており、記録後はのり残り等がなく除去できることが必要である。光吸収フィルム５と粘着層４間の剥離強度と、粘着層４とセパレータ１４間の剥離強度との間には、選択的に剥離するために、
〔光吸収フィルム５／粘着層４〕≧〔粘着層４／セパレータ１４〕
の関係になくてはならないことは当然である。
【００２７】
光吸収フィルム５としては、ＰＥＴフィルム（特に、光学グレードのもの）、トリアセチルセルロースフィルム、ポリプロピレンフィルム、ポリエチレンフィルム、ポリ塩化ビニルフィルム、アクリルフィルム、ポリビニルアルコールフィルム、ポリエチレンビニルアルコールコポリマーフィルム、各種フィルム共押し出しフィルム等を着色処理したものが好ましい。着色フィルムには、
▲１▼顔料、色素等をフィルム中に混入したもの、
▲２▼染料でフィルムを染色したもの、
▲３▼顔料を含む樹脂をフィルムにコーティングしたもの、
▲４▼色素を含む樹脂をフィルムにコーティングしたもの、
に大別できるが、顔料はレーザー光を散乱するため不適であり、色素を使用することが好ましい。また、この光吸収フィルム５の記録レーザー光の波長での光学濃度が２以上のものであることが望ましい。
【００２８】
セパレータ１４としては、支持フィルム１と同様なフィルムが適用可能であるが、支持フィルム１と比較して剥離特性の異なるものが好ましい。
粘着層４の粘着剤としては、天然ゴム系、スチレン−ブタジエン系、ポリイソブチレン系、イソプレン系、天然ゴムラテックス系、スチレンブタジエンラテックス系（以上、ゴム系）、アクリル系、アクリルエマルジョン系（以上、アクリル系）、シリコーン系（以上、シリコーン系）、スチレン−イソプレンブロック共重合体系、スチレンブタジエンブロック共重合体系、スチレン−エチレン−ブチレンブロック共重合体系、エチレン−酢酸ビニル共重合体系（以上、ホットメルト系）等があげられる。そして、この粘着層４の粘着剤は、ホログラム露光後に、加熱、紫外線照射等の後処理により粘着力が低下し、基板３から光吸収フィルム５がのり残り等なく容易に除去できるものが望ましい。
【００２９】
図４（ｂ）に示す光吸収粘着剤フィルム１５は、記録中は安定に粘着しており、記録後はのり残り等がなく除去できることが必要である。支持フィルム７と光吸収粘着層６間の剥離強度と、光吸収粘着層６とセパレータ１４間の剥離強度との間には、選択的に剥離するために、
〔支持フィルム７／光吸収粘着層６〕
≧〔光吸収粘着層６／セパレータ１４〕
の関係になくてはならないことは当然である。
【００３０】
支持フィルム７としては、ＰＥＴフィルム（特に、光学グレードのもの）、トリアセチルセルロースフィルム、ポリプロピレンフィルム、ポリエチレンフィルム、ポリ塩化ビニルフィルム、アクリルフィルム、ポリビニルアルコールフィルム、ポリエチレンビニルアルコールコポリマーフィルム、各種フィルム共押し出しフィルム等等がよい。
【００３１】
セパレータ１４としては、支持フィルム７と同様なフィルムが適用可能であるが、支持フィルム１と比較して剥離特性の異なるものが好ましい。
光吸収粘着層６の粘着剤としては、天然ゴム系、スチレン−ブタジエン系、ポリイソブチレン系、イソプレン系、天然ゴムラテックス系、スチレンブタジエンラテックス系（以上、ゴム系）、アクリル系、アクリルエマルジョン系（以上、アクリル系）、シリコーン系（以上、シリコーン系）、スチレン−イソプレンブロック共重合体系、スチレンブタジエンブロック共重合体系、スチレン−エチレン−ブチレンブロック共重合体系、エチレン−酢酸ビニル共重合体系（以上、ホットメルト系）等に着色処理したものがあげられる。着色方法としては、
▲１▼顔料、色素等を練り込む方法、
▲２▼染料で染色する方法、
に大別できるが、顔料はレーザー光を散乱するため不適であり、色素を使用することが好ましい。そして、この光吸収粘着層６の記録レーザー光の波長での光学濃度が２以上のものであることが望ましい。また、この光吸収粘着層６の粘着剤は、ホログラム露光後に、加熱、紫外線照射等の後処理により粘着力が低下し、基板３から支持フィルム７と共に、のり残り等なく容易に除去できるものが望ましい。
【００３２】
なお、図１、図２において、基板３、粘着層４、光吸収フィルム５、光吸収粘着層６の屈性率が、ホログラム記録感材２の屈折率と略等しいことが、撮影の際に界面での不要な反射を防止する上で望ましく、屈折率差が０．１以下であることが望ましい。
【００３３】
次に、図３のホログラム記録感材フィルム１１と、図４（ａ）の粘着処理光吸収フィルム１３、あるいは、図４（ｂ）の光吸収粘着剤フィルム１５とを基板３の両面にラミネートして、図１あるいは図２の透過型ホログラム撮影用乾板１０を作製する方法について、以下に説明する。
【００３４】
図５に本発明に好適に使用し得る透過型ホログラム撮影用乾板１０作製用のラミネート装置の１例の概念図を示す。図中、符号１６は、基板３を順次供給する基板供給カセット、符号１７は、ホログラム記録感材フィルム１１供給ロール、符号１８は、粘着処理光吸収フィルム１３又は光吸収粘着剤フィルム１５供給ロール、符号１９は、セパレータ１２を剥離する剥離ロール、符号２０は、セパレータ１４を剥離する剥離ロール、符号２１は、セパレータ１２を巻き取る巻取りロール、符号２２は、セパレータ１４を巻き取る巻取りロール、符号２３は、セパレータ１２が剥離されたホログラム記録感材フィルム１１をホログラム記録感材２側から基板３に貼り付けるラミネートロール、符号２４は、セパレータ１４が剥離された粘着処理光吸収フィルム１３又は光吸収粘着剤フィルム１５を粘着層４あるいは光吸収粘着層６側から基板３に貼り付けるラミネートロール、符号２５は、基板３の表面側にセパレータ１２が剥離されたホログラム記録感材フィルム１１が貼り付けられ、その裏面側にセパレータ１４が剥離された粘着処理光吸収フィルム１３又は光吸収粘着剤フィルム１５が貼り付けられてなる透過型ホログラム撮影用乾板１０を順次回収する乾板回収カセットである。
【００３５】
このような構成において、ガラス等の基板３を基板供給カセット１６から順に供給する。必要な場合は、この基材３には適当な表面処理を前もって施しておく。さらに、表面処理上に保護シート等が積層されている場合は、ラミネートロール２３、２４の位置に到るまでの間に、その保護シート等を剥離する剥離部を設ける。供給された基板３の一方の面（図では、上側）に、ホログラム記録感材フィルム供給ロール１７から図３のような層構成のホログラム記録感材フィルム１１を供給し、剥離ロール１９でそのセパレータ１２を剥離した後に、ラミネートロール２３へ供給する。供給された基板３の他方の面（図では、下側）に、粘着処理光吸収フィルム又は光吸収粘着剤フィルム供給ロール１８から、図４（ａ）のような層構成の粘着処理光吸収フィルム１３、又は、図４（ｂ）のような層構成の光吸収粘着剤フィルム１５を供給し、剥離ロール２０でそのセパレータ１４を剥離した後に、ラミネートロール２４へ供給する。
【００３６】
ラミネートロール２３へ供給されたホログラム記録感材フィルム１１は、そのラミネートロール２３で押さえ付けられてセパレータ１２が剥離されたホログラム記録感材２側から基板３の上面に貼り付けられ、ラミネートロール２４へ供給された粘着処理光吸収フィルム１３又は光吸収粘着剤フィルム１５は、そのラミネートロール２４で押さえ付けられてセパレータ１４が剥離された粘着層４あるいは光吸収粘着層６側から基板３の下面に貼り付けられる。なお、図５では、ラミネートロール２３、２４が同じ位置にあり、上下のラミネートを同時に行うように描いてあるが、両者をずらし、逐次にラミネートするようにすることも可能である。
【００３７】
このように基板３の上下の面にホログラム記録感材フィルム１１、粘着処理光吸収フィルム１３又は光吸収粘着剤フィルム１５が貼り付けられて得られた透過型ホログラム撮影用乾板１０は、上記のようなラミネート機構の前段若しくは後段に設けた不図示のシートカット機構により、基板３と同じ大きさかそれ以下の大きさにフィルム１１、１３又は１５のみがカットされて作製が完成し、さらに、最終的に作製された乾板１０は、乾板回収カセット２５に順に収納され、ホログラム露光部に搬送される。もちろん、カセット２５に収納せずに、そのまま次のホログラム記録工程に搬送する場合も考えられる。
【００３８】
上記の配置において、フィルム１１、１３又は１５の送り速度と基板３の送り速度を一致させ、これらを一定の速度で連続的に送る場合は、剥離ロール１９、２０位置で剥離線が発生しないが、フィルム１１、１３又は１５の送りを間欠的に行い、ラミネートを間欠的に行う場合には、剥離ロール１９、２０位置でしばしば剥離線が発生してしまう。これは、セパレータ１２、１４の剥離が途中で停止すると、その剥離部に粘着剤等が表面での張力で不均一に分布することによる。このような剥離線が発生する恐れがある場合には、剥離ロール１９、２０とラミネートロール２３、２４間のパスライン長を基板３の長さの整数倍になるようにすると、剥離線を実質的に有効な領域外に持っていくことができるので望ましい。また、セパレータ１２、１４を剥離するのに強い力が必要な場合には、剥離ロール１９、２０の径をできるだけ小さくし、かつ、剥離角度をできるだけ大きくとることが有効である。
【００３９】
以上、本発明の透過型ホログラム撮影用乾板、その作製方法及び装置を実施例に基づいて説明してきたが、本発明はこれら実施例に限定されず種々の変形が可能である。
【００４０】
【発明の効果】
以上の説明から明らかなように、本発明によると、透過型ホログラム撮影用乾板の基板の物体光及び参照光入射側とは反対側の面上に粘着層を介して光吸収フィルムを設けるか、支持フィルム上に設けた光吸収粘着層をその粘着層で粘着させたので、撮影あるいは複製の際にハレーションを防止する層をドライフィルム形態で簡単に設けることができ、製造工程を大幅に簡略化でき、かつ、ラミネート装置へ適合させることもできる。また、乾板自身が汚れがなく、記録後にハレーション防止層を簡単な工程でに完全に取り除くことができる。
【図面の簡単な説明】
【図１】本発明による透過型ホログラム撮影用乾板の１実施例の層構成を示す図である。
【図２】本発明による透過型ホログラム撮影用乾板の別の実施例の層構成を示す図である。
【図３】本発明による透過型ホログラム撮影用乾板を作製するために使用するホログラム記録感材フィルムの層構成を示す図である。
【図４】本発明による透過型ホログラム撮影用乾板を作製するために使用する粘着処理光吸収フィルムと光吸収粘着剤フィルムの層構成を示す図である。
【図５】本発明に好適に使用し得る透過型ホログラム撮影用乾板作製用のラミネート装置の１例の概念図である。
【符号の説明】
１…支持フィルム
２…ホログラム記録感材
３…基板
４…粘着層
５…光吸収フィルム
６…光吸収粘着層
７…支持フィルム
１０…透過型ホログラム撮影用乾板
１１…ホログラム記録感材フィルム
１２…セパレータ（剥離フィルム）
１３…粘着処理光吸収フィルム
１４…セパレータ（剥離フィルム）
１５…光吸収粘着剤フィルム
１６…基板供給カセット
１７…ホログラム記録感材フィルム供給ロール
１８…粘着処理光吸収フィルム又は光吸収粘着剤フィルム供給ロール
１９、２０…剥離ロール
２１、２２…巻取りロール
２３、２４…ラミネートロール
２５…乾板回収カセット
【図１】
0003815693.tif 000002
【図２】
0003815693.tif 000003
【図３】
0003815693.tif 000004
【図４】
0003815693.tif 000005
【図５】
0003815693.tif 000006